(57)【要約】【課題】  装着したレンズ手段に応じて、撮影者が適正な撮像機能を容易に選択でき、適切な撮像機能を撮影者に提供することができるようにする。【解決手段】  カメラユニット部７の撮像機能の動作を許可または禁止する機能制御情報を制御信号線１７を介してレンズマイコン６からカメラマイコン１６に供給し、供給された機能制御情報に基づいて、カメラマイコン１６により、撮影者が撮像機能を選択する際の選択画面を変更したり、上記機能制御情報により禁止された撮像機能の動作を禁止するように制御したりするようにして、カメラユニット部７にて撮影者が禁止された撮像機能を選択したり動作させたりできないようにし、撮影者に適正な撮像機能を容易に選択させ、適切な撮像機能を提供することができるようにする。【選択図】  図１
2011004418.tif 000002
【特許請求の範囲】
【請求項１】
レンズが着脱可能な撮像装置に装着する交換レンズであって、
上記撮像装置が有する撮像画像の画像データに所定の画像処理を施す画像処理機能の動作を禁止するための機能制御情報を生成する制御情報生成手段と、
上記制御情報生成手段により生成した機能制御情報を上記撮像装置に送信する送信手段とを備えることを特徴とする交換レンズ。
【請求項２】
上記制御情報生成手段は、上記交換レンズのレンズの特性に応じて上記機能制御情報を生成することを特徴とする請求項１に記載の交換レンズ。
【請求項３】
レンズが着脱可能な撮像装置であって、
上記撮像装置に装着した交換レンズから送信される上記撮像装置が有する撮像画像の画像データに所定の画像処理を施す画像処理機能の動作を禁止するための機能制御情報を受信する受信手段と、
上記受信手段により受信した機能制御情報に基づいて、上記所定の画像処理機能に関する表示および動作の少なくとも一方を禁止する制御手段とを備えることを特徴とする撮像装置。
【請求項４】
撮像手段にレンズ手段を交換可能な撮像システムの撮像機能制御方法であって、
上記撮像手段が有する撮像画像の画像データに所定の画像処理を施す画像処理機能の動作を禁止するための機能制御情報を上記レンズ手段から上記撮像手段に送信し、
上記送信された機能制御情報に基づいて、上記撮像手段が有する所定の画像処理機能に関する表示および動作の少なくとも一方を制御することを特徴とする撮像機能制御方法。
【発明の詳細な説明】
【技術分野】
【０００１】
本発明は、撮像装置、交換レンズ、および撮像機能制御方法に関し、特に、レンズ交換可能なビデオカメラ等の撮像装置に用いて好適なものである。
【背景技術】
【０００２】
従来から、ビデオカメラ本体（以下、「カメラユニット部」と称す。）とそれに装着するレンズ、絞り等からなる光学系の部分（以下、「レンズユニット部」と称す。）とが着脱可能なレンズ交換式ビデオカメラがあった。上記レンズ交換式ビデオカメラにおいては、カメラユニット部とレンズユニット部とは、メカニカルなマウントにより着脱可能になっていた。
【０００３】
また、上記レンズユニット部は、さまざまなレンズの特性を有するレンズユニット部があり、例えば、広角レンズの特性を有する広角レンズユニット部や望遠レンズの特性を有する望遠レンズユニット部等があった。そして、上記レンズ交換式ビデオカメラでは、撮影者が、撮像する被写体や撮像方法等にあわせて、カメラユニット部に所望のレンズユニット部を交換装着して撮影することができるようになっていた。
【発明の概要】
【発明が解決しようとする課題】
【０００４】
しかしながら、上記レンズ交換式ビデオカメラにおいては、交換可能なレンズユニット部の種類が増えた際に、全ての交換可能なレンズユニット部に対し、カメラユニット部の有する機能を同じように動作させたとしても、撮影者にとって所望の撮影画像を得ることができないことがあった。すなわち、上記レンズ交換式ビデオカメラにおいて、装着されたレンズユニット部のレンズの特性にかかわらず、カメラユニット部の有する機能に従い動作させたとしても、所望の撮影画像を得ることができないことがあった。そのため、レンズ交換式ビデオカメラにおいては、カメラユニット部が所望の動作を行わないという誤解を撮影者に招いてしまうことがあった。
【０００５】
たとえば、カメラユニット部が撮影画像の背景をぼかすポートレート機能を有し、撮影者が所定の操作により上記ポートレート機能を動作させるポートレートモードを選択したとする。このとき、超広角レンズの特性を有する超広角レンズユニット部が上記カメラユニット部に装着されている場合には、絞りを最大に開けても被写界深度を十分に浅くできず、上記ポートレート機能の効果を得られない場合があった。また、逆に望遠レンズユニット部が上記カメラユニット部に装着されている場合には、上記ポートレートモードを選択しなくとも、被写界深度が浅くなりすぎてしまい、上記ポートレートモード自体の意味がなくなってしまっていた。したがって、超広角レンズユニット部や望遠レンズユニット部をカメラユニット部に装着して撮影した場合には、ポートレート機能を動作させたとしても背景をぼかした撮影画像を得ることができないことがあった。
【０００６】
また、上記レンズ交換式ビデオカメラにおいて、撮影画像の画像データに所定の拡大処理を施して撮影画像を拡大する電子ズーム機能を動作させた場合には、撮影画像においてレンズユニット部のレンズ光学性能の粗が助長され、撮影画像の画質が非常に悪くなる（劣化する）ことがあった。したがって、電子ズーム機能により拡大処理して撮影画像を拡大している場合に、電子ファインダー等の表示部に表示された撮影画像が、撮影者には撮影画像の画質が劣化しているように見えず、ピントずれしているように見えてしまうことがあった。そのため、撮影者は、撮影画像の画質劣化を電子ズーム機能による画質劣化と判断せず、ピントが合っていないものと判断してしまい、撮影者がマニュアルフォーカスによりピント合わせをしようとしても、ピントが合わないと誤解してしまうことがあった。
【０００７】
本発明は、上述のような問題を解決するために成されたものであり、装着したレンズ手段に応じて、撮影者が適正な撮像機能を容易に選択でき、適切な撮像機能を撮影者に提供できるようにすることを目的とする。
【課題を解決するための手段】
【０００８】
本発明の交換レンズは、レンズが着脱可能な撮像装置に装着する交換レンズであって、上記撮像装置が有する撮像画像の画像データに所定の画像処理を施す画像処理機能の動作を禁止するための機能制御情報を生成する制御情報生成手段と、上記制御情報生成手段により生成した機能制御情報を上記撮像装置に送信する送信手段とを備えることを特徴とする。
本発明の撮像装置は、レンズが着脱可能な撮像装置であって、上記撮像装置に装着した交換レンズから送信される上記撮像装置が有する撮像画像の画像データに所定の画像処理を施す画像処理機能の動作を禁止するための機能制御情報を受信する受信手段と、上記受信手段により受信した機能制御情報に基づいて、上記所定の画像処理機能に関する表示および動作の少なくとも一方を禁止する制御手段とを備えることを特徴とする。
本発明の撮像機能制御方法は、撮像手段にレンズ手段を交換可能な撮像システムの撮像機能制御方法であって、上記撮像手段が有する撮像画像の画像データに所定の画像処理を施す画像処理機能の動作を禁止するための機能制御情報を上記レンズ手段から上記撮像手段に送信し、上記送信された機能制御情報に基づいて、上記撮像手段が有する所定の画像処理機能に関する表示および動作の少なくとも一方を制御することを特徴とする。
【発明の効果】
【０００９】
本発明によれば、装着した交換レンズ毎に撮像装置が有する所定の撮像機能の動作を禁止するとともに、撮影者に適正な撮像機能を容易に選択させ、適切な撮像機能を撮影者に提供することができる。したがって、撮影者は誤った撮像機能を選択することがなくなり、撮像機能が十分に機能しないという誤解が撮影者に生じることを防止することができる。
【図面の簡単な説明】
【００１０】
【図１】本実施形態による撮像装置を適用したレンズ交換式ビデオカメラの構成例を示すブロック図である。
【図２】レンズマイコンの構成を示すブロック図である。
【図３】カメラマイコンの構成を示すブロック図である。
【図４】カメラマイコンによる処理動作を示すフローチャートである。
【図５】レンズマイコンによる処理動作を示すフローチャートである。
【図６】レンズマイコンからカメラマイコンに送信するデータの一例を示す図である。
【図７】図４に示すステップＳ４０６におけるカメラマイコンの処理動作を示すフローチャートである。
【図８】プログラムＡＥ選択時の表示画面例を示す図である。
【発明を実施するための形態】
【００１１】
以下、本発明の一実施形態を図面に基づいて説明する。
図１は、本実施形態による撮像装置を適用したレンズ交換式ビデオカメラの構成例を示すブロック図である。
図１において、レンズ交換式ビデオカメラ１は、レンズユニット部２とカメラユニット部７とにより構成される。上記レンズユニット部２とカメラユニット部７とは、マウント面１８にてメカニカルなマウントにより着脱可能になっている。ここで、上記レンズユニット部２は、本発明のレンズ手段を構成し、上記カメラユニット部７は、本発明の撮像手段を構成する。
【００１２】
レンズユニット部２は、フォーカスレンズ３、絞り４、ズームレンズ５およびレンズマイコン６により構成される。フォーカスレンズ３は焦点（ピント）調整を行い、絞り４は光量の調整を行う。また、ズームレンズ５は画角変倍率の調節を行う。
【００１３】
レンズマイコン６は、後述するカメラユニット部７内のカメラマイコン１６から制御信号線１７を介して供給される制御データに基づいて、上記フォーカスレンズ３、絞り４およびズームレンズ５を制御する。また、レンズマイコン６は、当該レンズマイコン６を含み構成されるレンズユニット部２を用いた場合に、カメラユニット部７が有する撮影機能の中で、機能動作を禁止する撮影機能を示した機能制御情報を、制御信号線１７を介してカメラマイコン１６に供給する。具体的には、レンズマイコン６は、当該レンズユニット部２を用いた場合に、カメラユニット部７が有する撮影機能毎に上記撮影機能の機能動作を禁止するか否か（許可）を示した機能制御情報をカメラマイコン１６に供給する。なお、ここで、上記制御信号線１７は、本発明の通信手段を構成する。
【００１４】
また、カメラユニット部７は、ＣＣＤ８、ＣＤＳ・ＡＧＣ回路９、Ａ／Ｄ変換器１０、カメラ信号処理部１１、エンコーダ部１２、カメラキー１３、レンズ検出部１４、表示部１５およびカメラマイコン１６により構成される。
【００１５】
ＣＣＤ８は、レンズユニット部２を透過した光を光電変換により電気信号に変換し、ＣＤＳ・ＡＧＣ回路９に供給する。ＣＤＳ・ＡＧＣ回路９は、上記ＣＣＤ８から供給される電気信号をサンプリングするとともに増幅し、Ａ／Ｄ変換器１０は、上記ＣＤＳ・ＡＧＣ回路９によりサンプリングおよび増幅された電気信号をアナログ信号からデジタル信号に変換する。
カメラ信号処理部１１は、カメラマイコン１６からの指示に基づいて、上記Ａ／Ｄ変換器１０によりデジタル信号に変換された信号に所定の信号処理を施す。エンコーダ部１２は、上記カメラ信号処理部１１により所定の信号処理が施された信号をビデオ信号に変換し、信号ＶＩＤＥＯ−ＯＵＴとして出力する。
【００１６】
カメラキー１３は、レンズ交換式ビデオカメラ１の操作者（撮影者）が、当該カメラユニット部７が有する撮影機能の中から、選択可能な所望の撮影機能を選択したりするためのキーである。上記撮影機能には、露出制御を行うプログラムＡＥとして背景をぼかすポートレート機能やスポットライト機能等があり、撮影画像の画像データに所定の処理を施すデジタルエフェクト処理として電子ズーム機能、モザイク機能等がある。
【００１７】
すなわち、レンズ交換式ビデオカメラ１においては、上記カメラキー１３によりカメラユニット部７が有する撮影機能を選択することが可能となっており、上記カメラキー１３は、撮影者の意図に従い上記撮影機能を可変するために使用される。
例えば、撮影者が上記カメラキー１３を操作することにより撮影機能を選択する、すなわち撮影者がプログラムＡＥの変更や電子ズームのＯＮ／ＯＦＦ制御等を行う場合には、上記カメラキー１３に対するキー操作および上記カメラキー１３のキー状態等がカメラマイコン１６により読み取られ、それに応じてレンズユニット部２およびカメラユニット部７が制御される。
【００１８】
レンズ検出部１４は、レンズユニット部２がカメラユニット部７のマウント面１８に備える図示しないレンズマウント部に装着されたか否かを検出するためのものであり、スイッチ等により構成される。
表示部１５は、撮影者が上記カメラキー１３等によりカメラユニット部７が有する撮影機能の中から選択可能な撮影機能を選択する際の選択画面を表示したり、レンズ交換式ビデオカメラ１により撮影した被写体１９の撮影画像を表示したりする。
【００１９】
カメラマイコン１６は、上記レンズマイコン６から制御信号線１７を介して供給される動作禁止する撮影機能を示した機能制御情報および上記カメラキー１３におけるキー操作、キー状態等に基づいて、レンズ交換式ビデオカメラ１を制御する。すなわち、カメラマイコン１６は、上記機能制御情報、上記キー操作およびキー状態等に基づいて、カメラユニット部７の各機能部を制御したり、制御信号線１７を介してレンズユニット部２内のレンズマイコン６に制御データを供給することによりレンズユニット部２を制御したりする。
【００２０】
図２は、上記図１に示したレンズマイコン６の構成を示すブロック図である。
図２において、レンズマイコン６は、制御部２１、記憶部２３および通信部２４を含み構成される。
【００２１】
制御部２１は、レンズデータ生成部２２を含み構成され、記憶部２３に記憶されている制御手順に従い、レンズユニット部２の制御等を行う。すなわち、制御部２１は、記憶部２３に記憶されている制御手順に従って、制御信号線１７および通信部２４を介してカメラユニット部７から供給される制御データに基づき、上記図１に示したフォーカスレンズ３、絞り４、ズームレンズ５を制御したり、カメラユニット部７が有する撮影機能の機能動作を許可または禁止するための機能制御情報を制御信号線１７および通信部２４を介してカメラユニット部７に供給したりする。
【００２２】
レンズデータ生成部２２は、当該レンズマイコン６を含み構成されるレンズユニット部２のレンズの特性に応じて上記機能制御情報を生成する。
通信部２４は、制御信号線１７を介してカメラユニット部７内のカメラマイコン１６と通信可能なように接続されており、制御部２１から供給される上記機能制御情報をカメラマイコン１６に送信したり、カメラマイコン１６から送信された上記制御データを受信し制御部２１に供給したりする。
【００２３】
図３は、上記図１に示したカメラマイコン１６の構成を示すブロック図である。
図３において、カメラマイコン１６は、制御部３１、記憶部３３、通信部３４および表示制御部３５を含み構成される。
【００２４】
制御部３１は、記憶部３３に記憶されている制御手順に従って、制御信号線１７および通信部３４を介してレンズユニット部２から供給される機能制御情報やカメラキー１３のキー操作およびキー状態等に基づき、カメラ信号処理部１１等の各機能部を制御したりする。また、制御部３１は、上記機能制御情報、上記カメラキー１３のキー操作およびキー状態等に基づいて、レンズユニット部２を制御するための制御データを生成し、制御信号線１７および通信部３４を介してレンズユニット部２に上記制御データを供給したりする。
【００２５】
判定部３２は、制御信号線１７および通信部３４を介してレンズユニット部２から供給される機能制御情報に基づいて、カメラユニット部７が有する撮影機能毎に選択可能な状態にするか否かを判定する。
【００２６】
通信部３４は、制御信号線１７を介してレンズユニット部２内のレンズマイコン６と通信可能なように接続されており、レンズマイコン６から送信された上記機能制御情報を受信して制御部３１に供給したり、制御部３１から供給される上記制御データをレンズマイコン６に送信したりする。
表示制御部３５は、撮影者が撮影機能を選択する際の選択画面および撮影画像等を制御部３１の指示に応じて、表示部１５に表示するための制御を行う。
【００２７】
次に、本実施形態によるレンズ交換式ビデオカメラ１において撮影機能を許可したり禁止したりするためのレンズユニット部２とカメラユニット部７との通信処理動作およびそれに伴う制御処理動作について説明する。
上記処理動作は、レンズユニット部２ではレンズマイコン６が行い、カメラユニット部７ではカメラマイコン１６が行う。
【００２８】
まず、カメラユニット部７内のカメラマイコン１６による処理動作について説明する。
図４は、カメラマイコン１６による処理動作を示すフローチャートである。
図４において、カメラマイコン１６は、処理動作を開始すると、まずステップＳ４０１にてカメラユニット部７内の各機能部に所定の初期設定を行う。次に、ステップＳ４０２にて、カメラマイコン１６は、レンズ検出部１４による検出結果に基づいて、カメラユニット部７が備えるレンズマウント部にレンズユニット部２が装着されたか否か判定する。
【００２９】
上記判定の結果、上記レンズユニット部２がレンズマウント部に装着されていないと判定した場合には、カメラマイコン１６は、上記レンズユニット部２がレンズマウント部に装着されていると判定するまで上記ステップＳ４０２の処理を繰り返す。
【００３０】
一方、ステップＳ４０２での判定の結果、上記レンズユニット部２がレンズマウント部に装着されていると判定した場合には、ステップＳ４０３に進み、ステップＳ４０３にて、カメラマイコン１６は、レンズユニット部２とカメラユニット部７との間の通信状態が正常であるか否かを判別する。すなわち、カメラマイコン１６は、レンズユニット部２内のレンズマイコン６と制御信号線１７を介して正常に通信できるか否かを判別する。
上記ステップＳ４０３での判別の結果、レンズユニット部２とカメラユニット部７との間の通信状態が正常である場合には、ステップＳ４０４に進み、ステップＳ４０４にて、カメラマイコン１６は、上記レンズマイコン６に送信する制御データを作成する。
【００３１】
次に、ステップＳ４０５にて、カメラマイコン１６は、制御信号線１７を介してレンズマイコン６とデータの送受信を行う。上記ステップＳ４０５にて行われるデータの送受信では、カメラマイコン１６は、レンズユニット部２内のフォーカスレンズ３、絞り４、ズームレンズ５を制御するための制御データ等をレンズマイコン６に送信する。また、カメラマイコン１６は、レンズマイコン６から送信されたプログラムＡＥおよびデジタルエフェクト処理の各機能に関する機能制御情報等を受信する。
【００３２】
ステップＳ４０６にて、カメラマイコン１６は、上記ステップＳ４０５においてレンズマイコン６から送信され受信した機能制御情報等のデータをデコードし、デコード結果に従い上記機能制御情報等のデータに基づいて処理を行う。上記ステップＳ４０６において処理が完了すると、ステップＳ４０７に進み、レンズマイコン６との通信を正常終了する。そして、ステップＳ４０２に戻り、再度レンズユニット部２が装着されたか否か判定し、上記判定結果に基づいて、上述したステップＳ４０２〜ステップＳ４０７の処理を繰り返す。
【００３３】
また、上記ステップＳ４０３での判別の結果、レンズユニット部２とカメラユニット部７との間の通信状態が正常でない（通信異常状態）場合には、ステップＳ４０８に進む。ステップＳ４０８にて、カメラマイコン１６は通信異常状態の時間を計測し、通信異常状態で所定時間が経過したか否か判断する。
上記判断の結果、通信異常状態で所定時間が経過していないと判断した場合には、カメラマイコン１６は、上記ステップＳ４０２に戻る。そして、カメラマイコン１６は、再度レンズユニット部２が装着されたか否か判定し（Ｓ４０２）、レンズユニット部２との間での通信状態が正常であるか否か判別する（Ｓ４０３）。
【００３４】
また、上記ステップＳ４０８での判断の結果、カメラマイコン１６は、通信異常状態で所定時間が経過した（通信異常状態が所定時間以上継続した）と判断した場合には、ステップＳ４０７に進み、レンズマイコン６との通信を強制終了する。
なお、ここで上記ステップＳ４０２〜ステップＳ４０７までの一連の処理動作は、本実施形態においては垂直同期信号に同期して行われる。
【００３５】
次に、レンズユニット部２内のレンズマイコン６による処理動作について説明する。
図５は、レンズマイコン６による処理動作を示すフローチャートである。
図５において、レンズマイコン６は、処理動作を開始すると、まずステップＳ５０１にて、上記図４に示したステップＳ４０３と同様にして、レンズユニット部２とカメラユニット部７との間の通信状態が正常であるか否かを判別する。
【００３６】
上記ステップＳ５０１での判別の結果、レンズユニット部２とカメラユニット部７との間の通信状態が正常である場合には、ステップＳ５０２に進み、ステップＳ５０２にて、レンズマイコン６は、図６に示す上記カメラマイコン１６に送信するための機能制御情報等のデータを作成する。なお、図６に示す機能制御情報については後述する。
【００３７】
次に、ステップＳ５０３にて、レンズマイコン６は、制御信号線１７を介してカメラマイコン１６とデータの送受信を行う。上記ステップＳ５０３にて行われるデータの送受信は、上記図４に示すステップＳ４０５に対応する処理であり、レンズマイコン６は、上記ステップＳ５０２において作成した機能制御情報等のデータをカメラマイコン１６に送信する。また、レンズマイコン６は、カメラマイコン１６から送信されたフォーカスレンズ３、絞り４、ズームレンズ５を制御するための制御データ等を受信する。
【００３８】
ステップＳ５０４にて、レンズマイコン６は、上記ステップＳ５０３において受信した制御データ等のデータをデコードし、デコード結果に従い上記制御信号等のデータに基づいて、フォーカスレンズ３、絞り４、ズームレンズ５を制御する。上記ステップＳ５０４において処理が完了すると、ステップＳ５０５に進み、カメラマイコン１６との通信を正常終了する。そして、ステップＳ５０１に戻り、上述したステップＳ５０１〜ステップＳ５０５の処理を繰り返す。
【００３９】
また、上記ステップＳ５０１での判別の結果、レンズユニット部２とカメラユニット部７との間の通信状態が正常でない（通信異常状態）場合には、ステップＳ５０６に進み、ステップＳ５０６にて、レンズマイコン６は通信異常状態の時間を計測する。上記計測の結果に基づいて、レンズマイコン６は、通信異常状態で所定時間が経過していないと判断した場合には、上記ステップＳ５０１に戻り、再度カメラユニット部７との間での通信状態が正常であるか否かを判別する（Ｓ５０１）。
【００４０】
また、上記ステップＳ５０６において、レンズマイコン６は、通信異常状態で所定時間が経過したと判断した場合には、ステップＳ５０５に進み、カメラマイコン１６との通信を強制終了する。
なお、上述したステップＳ５０１〜ステップＳ５０６の一連の処理動作は、本実施形態においては、カメラマイコン１６の通信タイミングに合わせて動作することになる。
【００４１】
図６は、上記図５に示すステップＳ５０２において、レンズマイコン６が作成し、カメラマイコン１６に送信するデータを説明するための図である。
図６に示すように、上記ステップＳ５０２において、レンズマイコン６が作成し、カメラマイコン１６に送信するデータには、レンズユニット部２のレンズの特性に応じて、カメラユニット部７が有する撮影機能を許可または禁止するための機能制御情報がある。
【００４２】
上記機能制御情報としては、図６（Ａ）に示すように、カメラマイコン１６に送信するデータのｎバイト目（ｎは自然数）に、プログラムＡＥのポートレート機能やスポットライト機能等の各露出機能の動作の許可／禁止ビットが設けられている。なお、露出機能のポートレート機能、スポットライト機能は公知の技術であるので説明は省略する。また、図６（Ｂ）に示すように、カメラマイコン１６に送信するデータのｈバイト目（ｈは、上記ｎと異なる自然数）に、デジタルエフェクト処理の電子ズーム機能、モザイク機能等の各電子的な画像処理機能の機能動作の許可／禁止ビットが設けられている。なお、電子ズーム機能、モザイク機能などは公知の技術であるので説明は省略する。
【００４３】
レンズユニット部２のレンズの特性により所望の撮影画像を得ることができないカメラユニット部７が有する撮影機能については、レンズマイコン６側にて、上記機能制御情報において対応する機能動作の禁止ビットを“１”にし、上記機能制御情報を含むデータをカメラユニット部７に送信する。上記送信された機能制御情報を含むデータに従って、カメラユニット部７にて撮影機能の機能動作を禁止することにより、レンズユニット部２のレンズの特性により所望の撮影画像を得ることができないカメラユニット部７の撮影機能を禁止することができる。
【００４４】
例えば、カメラユニット部７に装着するレンズユニット部が、超広角レンズユニット部であるために絞りを開放にしたとしても被写界深度を十分に浅くすることができない場合や、超望遠レンズユニット部であるために、被写界深度が必要以上に浅くなりすぎてしまう場合には、レンズユニット部２内のレンズマイコン６は、図６（Ａ）に示すプログラムＡＥの項目内のポートレート機能の動作許可／禁止ビットであるビット１を“１”にする。すなわち、上述のような超広角レンズユニット部や超望遠レンズユニット部が装着された場合には、カメラユニット部７においてポートレート機能の動作を禁止するようにビット１が“１”である機能制御情報を含むデータがレンズマイコン６からカメラマイコン１６に送信される。
【００４５】
したがって、カメラユニット部７はプログラムＡＥモード内のポートレートモードの表示および機能動作を禁止するように動作することができる。
すなわち、超広角レンズユニット部であるために、ポートレート機能を動作させるポートレートモードにしても被写界深度が深過ぎて、上記ポートレートモードの効果が十分得られない場合や、超望遠レンズユニット部であるために上記ポートレートモードでなくても絶えず被写界深度が浅過ぎて、被写界深度を浅くするためのポートレートモードの機能が他のプログラムＡＥのモードの機能に対して差異が十分に実現されない場合には、ポートレートモードの表示をプログラムＡＥ内からなくしたり、動作できなくしたりすることができる。これにより、上述のようなレンズユニット部が装着されたとしても、カメラユニット部７においてポートレートモードにしたにもかかわらず、被写界深度が浅くならなかったり、絶えず被写界深度が深過ぎてポートレートモードと他のプログラムＡＥモードとの差異が無かったりして、撮影者が所望の撮影画像を得ることができないという不具合が生じてしまうことを防止することができる。
【００４６】
また、例えば、上述したように電子ズーム機能を動作させて撮影画像を拡大処理するような場合には、撮影画像においてレンズユニット部２のレンズ光学性能の粗が助長され、撮影画像の画質が非常に悪くなることがあった。このとき、撮影者は、撮影画像の画質が劣化しているように見えず、ピントずれしているように見えてしまっていた。この場合には、撮影者は、電子ズーム機能による画質劣化と判断せず、ピントが合っていないものと判断し、マニュアルフォーカスによりピント合わせをしてもピントが合わないと誤解してしまうことがある。この電子ズーム機能において撮影画像の画質が非常に悪くなるレンズユニット部を装着した場合においては、図６（Ｂ）に示すデジタルエフェクト処理の項目内の電子ズーム機能の動作許可／禁止ビットであるビット０を“１”にする。そして、カメラマイコン１６に送信することにより、カメラユニット部７において電子ズーム機能の機能動作を禁止でき、上述したような不具合が生じてしまうことを防止することができる。
【００４７】
次に、図７および図８に基づいて、上記図４に示したステップＳ４０６におけるカメラマイコン１６の処理動作について詳細に説明する。なお、以下の説明では、カメラユニット部７が有するプログラムＡＥのポートレート機能の機能動作を許可または禁止する場合を一例として説明する。
【００４８】
図７は、上記ステップＳ４０６におけるカメラマイコン１６の処理を詳細に説明するフローチャートである。
図７において、処理動作を開始すると、ステップＳ７０１にて、カメラマイコン１６は、図４に示すステップＳ４０５において受信した機能制御情報を含むデータのポートレート機能の動作許可／禁止ビット（ｎバイト目のビット０）が“１”であるか否か判断する。上記判断の結果、ポートレート機能の動作許可／禁止ビットが“０”の場合には、ステップＳ７０２に進み、カメラマイコン１６は、プログラムＡＥ項目のポートレート機能を選択可能な状態にする選択許可を行う。次に、ステップＳ７０３にて、カメラマイコン１６は、プログラムＡＥ項目のポートレート機能を動作可能な状態にする動作許可を行い、一連の動作を完了する。
【００４９】
一方、ステップＳ７０１での判断の結果、ポートレート機能の動作許可／禁止ビットが“１”の場合には、ステップＳ７０４に進み、カメラマイコン１６は、プログラムＡＥ項目のポートレート機能を選択不可能な状態にする選択禁止を行う。次に、ステップＳ７０５にて、カメラマイコン１６は、さらにプログラムＡＥ項目のポートレート機能を動作不可能な状態にする動作禁止を行い、一連の動作を完了する。
【００５０】
ここで、上記ポートレート機能の動作許可／禁止ビットが“０”（動作許可）の場合および“１”（動作禁止）の場合において、例えば表示部１５に表示されるプログラムＡＥ選択時の表示画面を図８に示す。図８（Ａ）は、上記ポートレート機能の動作許可／禁止ビットが“０”の場合、すなわちポートレート機能の動作許可の場合のプログラムＡＥ選択時の表示画面例である。図８（Ａ）に示すように、ポートレート機能の動作が許可されている場合には、他のプログラムＡＥの項目と区別無く表示され、ポートレート機能を動作させるポートレートモードを選択することができる。
【００５１】
また、図８（Ｂ）は、上記ポートレート機能の動作許可／禁止ビットが“１”の場合、すなわちポートレート機能の動作禁止の場合のプログラムＡＥ選択時の表示画面例である。図８（Ｂ）に示すように、ポートレート機能の動作が禁止されている場合には、プログラムＡＥ選択時の表示画面においてポートレートモードが反転して表示され、ポートレートモードを選択することができないようになる。なお、図８においては、表示画面において反転して表示することにより、ポートレートモードが選択禁止であることを撮影者が認識できるようにしているが、ポートレートモードを点滅表示させるようにしても良いし、ポートレートモードを表示画面に表示しないようにしても良い。なお、このとき、ポートレート機能の動作自体も禁止されることは言うまでもない。
【００５２】
また、上述した説明においては、ポートレート機能の動作許可／禁止ビットを一例として、本実施形態によるレンズ交換式ビデオカメラ１（レンズユニット部２およびカメラユニット部７）の動作について説明したが、図６に示すプログラムＡＥ、デジタルエフェクト処理等の撮影機能の各機能毎にポートレート機能と同じように表示および動作の許可／禁止をカメラユニット部７内で判別し、表示可変および各機能の動作許可／禁止が実行されることになる。
【００５３】
以上、詳しく説明したように本実施形態によれば、レンズユニット部２内のレンズマイコン６は、制御信号線１７を介してカメラユニット部７が有する撮影機能の機能動作を許可または禁止するための機能制御情報をカメラユニット部７内のカメラマイコン１６に供給する。そして、カメラマイコン１６は、上記供給された機能制御情報に基づいて、撮影者が撮影機能を選択する際の選択画面を変更したり、上記機能制御情報により禁止された撮影機能の動作を禁止するように制御したりする。
これにより、装着したレンズユニット部２毎に、カメラユニット部７が有する撮影機能の機能動作の許可または禁止をレンズユニット部２からカメラユニット部７に指示し、カメラユニット部７にて撮影者が禁止された撮影機能を選択したり動作させたりできないようにすることができ、撮影者に適正な撮影機能を容易に選択させ、適切な撮影機能を提供することができる。したがって、撮影者は十分な効果が得られない、あるいは機能が有効に動作しないような撮影機能を選択することがなくなり、撮影者に所望の動作を行わないという誤解が生じることを防止することができる。
【００５４】
例えば、超広角レンズユニット部が装着され被写界深度を十分に浅くできないような場合には、機能制御情報としてポートレート機能を禁止する情報をレンズマイコン６（レンズユニット部２）からカメラマイコン１６（カメラユニット部７）に送信する。これにより、カメラユニット部７のプログラムＡＥの選択項目からポートレート機能を動作させるポートレートモードを選択できなくしたり、ポートレートモードを表示しないようにしたりして、撮影者がポートレートモードを選択することを防止し、ポートレートモードにしても被写界深度が浅くならないといった誤解が撮影者に生じることを防止することができる。
【００５５】
また、例えば、電子ズーム機能による撮影画像の拡大処理の結果、撮影画像においてレンズ光学性能の粗を助長するような場合には、機能制御情報として電子ズーム機能の動作を禁止する情報を、あらかじめレンズマイコン６からカメラマイコン１６に送信する。これにより、そのレンズユニット部２が装着されているときは、カメラユニット部７では電子ズーム機能の動作禁止処理が行われ、画質の良い光学のみでの撮影が可能となる。
【００５６】
また、レンズユニット部２から送信される電子ズーム機能の動作を禁止する情報を用いることで、電子ズーム機能の動作を禁止すべきレンズユニット部２がカメラユニット部７に装着されたときは、電子ズーム機能の動作禁止および電子ズーム機能に関する表示をしないようにできるので、撮影者が電子ズーム機能を選択することを防止し、撮影者にピントが合わないといった誤解が生じることを防止することができる。
【００５７】
（本発明の他の実施形態）
上述した実施形態に示した各機能ブロックおよび処理手順は、ハードウェアにより構成しても良いし、ＣＰＵあるいはＭＰＵ、ＲＯＭおよびＲＡＭ等からなるマイクロコンピュータシステムによって構成し、その動作をＲＯＭやＲＡＭに格納された作業プログラムに従って実現するようにしても良い。また、上記各機能ブロックの機能を実現するように当該機能を実現するためのソフトウェアのプログラムをＲＡＭに供給し、そのプログラムに従って上記各機能ブロックを動作させることによって実施したものも、本発明の範疇に含まれる。
この場合、上記ソフトウェアのプログラム自体が上述した実施形態の機能を実現することになり、そのプログラム自体、およびそのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、コンピュータが供給されたプログラムを実行することにより、上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合にもかかるプログラムは本発明の実施形態に含まれることは言うまでもない。
さらに、供給されたプログラムがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【符号の説明】
【００５８】
１…レンズ交換式ビデオカメラ、２…レンズユニット部、３…フォーカスレンズ、４…絞り、５…ズームレンズ、６…レンズマイコン、７…カメラユニット部、８…ＣＣＤ、９…ＣＤＳ・ＡＧＣ回路、１０…Ａ／Ｄ変換器、１１…カメラ信号処理部、１２…エンコーダ部、１３…カメラキー、１４…レンズ検出部、１５…表示部、１６…カメラマイコン、１７…制御信号線
【図１】
2011004418.tif 000003
【図２】
2011004418.tif 000004
【図３】
2011004418.tif 000005
【図４】
2011004418.tif 000006
【図５】
2011004418.tif 000007
【図６】
2011004418.tif 000008
【図７】
2011004418.tif 000009
【図８】
2011004418.tif 000010
【手続補正書】
【提出日】平成22年9月8日(2010.9.8)
【手続補正１】
【補正対象書類名】明細書
【補正対象項目名】０００８
【補正方法】変更
【補正の内容】
【０００８】
本発明の交換レンズは、レンズが着脱可能な撮像装置に装着する交換レンズであって、上記撮像装置が有する複数の機能のうち所定の機能の動作を禁止するための機能制御情報を生成する制御情報生成手段と、上記制御情報生成手段により生成した機能制御情報を上記撮像装置に送信することによって、上記複数の機能を選択可能に表示し当該機能制御情報に基づいて禁止される機能を他の機能と区別して上記撮像装置に表示させる送信手段とを備えることを特徴とする。
本発明の撮像装置は、レンズが着脱可能な撮像装置であって、上記撮像装置に装着した交換レンズから送信される、複数の機能のうち所定の機能の動作を禁止するための機能制御情報を受信する受信手段と、上記受信手段により受信した機能制御情報に基づいて、上記複数の機能を選択可能に表示し当該機能制御情報に基づいて禁止される機能を他の機能と区別して表示する制御手段とを備えることを特徴とする。
本発明の撮像機能制御方法は、撮像手段にレンズ手段を交換可能な撮像システムの撮像機能制御方法であって、複数の機能のうち所定の機能の動作を禁止するための機能制御情報を上記レンズ手段から上記撮像手段に送信し、上記送信された機能制御情報に基づいて、上記複数の機能を選択可能に表示し当該機能制御情報に基づいて禁止される機能を他の機能と区別して表示させるよう制御することを特徴とする。
【手続補正２】
【補正対象書類名】特許請求の範囲
【補正対象項目名】全文
【補正方法】変更
【補正の内容】
【特許請求の範囲】
【請求項１】
レンズが着脱可能な撮像装置に装着する交換レンズであって、
上記撮像装置が有する複数の機能のうち所定の機能の動作を禁止するための機能制御情報を生成する制御情報生成手段と、
上記制御情報生成手段により生成した機能制御情報を上記撮像装置に送信することによって、上記複数の機能を選択可能に表示し当該機能制御情報に基づいて禁止される機能を他の機能と区別して上記撮像装置に表示させる送信手段とを備えることを特徴とする交換レンズ。
【請求項２】
上記制御情報生成手段は、上記交換レンズの特性に応じて上記機能制御情報を生成することを特徴とする請求項１に記載の交換レンズ。
【請求項３】
レンズが着脱可能な撮像装置であって、
上記撮像装置に装着した交換レンズから送信される、複数の機能のうち所定の機能の動作を禁止するための機能制御情報を受信する受信手段と、
上記受信手段により受信した機能制御情報に基づいて、上記複数の機能を選択可能に表示し当該機能制御情報に基づいて禁止される機能を他の機能と区別して表示する制御手段とを備えることを特徴とする撮像装置。
【請求項４】
撮像手段にレンズ手段を交換可能な撮像システムの撮像機能制御方法であって、
複数の機能のうち所定の機能の動作を禁止するための機能制御情報を上記レンズ手段から上記撮像手段に送信し、
上記送信された機能制御情報に基づいて、上記複数の機能を選択可能に表示し当該機能制御情報に基づいて禁止される機能を他の機能と区別して表示させるよう制御することを特徴とする撮像機能制御方法。